(57)【要約】【課題】腰掛ける機能はそのままに、言葉や漢字を学ぶことが可能であり、且つ、各種の店舗や施設におけるディスプレイとして商業的利用もできる椅子を提供することにある。【解決手段】背もたれ部と座板部とで文字を形成してなる椅子であり、１個の文字を上下に二分割し、その上部の輪郭が反映されるよう形成された背もたれ部１と、その下部の輪郭が反映されるよう形成された座板部２とを組み合わせることで、前記１つの文字が判読できるようにする。【選択図】図１
0003157720.tif 000002
【実用新案登録請求の範囲】
【請求項１】
１個の文字を上下に二分割し、その上部の輪郭が反映されるよう形成された背もたれ部と、その下部の輪郭が反映されるよう形成された座板部とを組み合わせることで、前記１つの文字が判読できるようにしたことを特徴とする椅子。
【請求項２】
２個の文字からなる文字列の内、いずれか一方の文字の輪郭が反映されるよう形成された背もたれ部と、いずれか他方の文字の輪郭が反映されるよう形成された座板部とを組み合わせることで、前記２個の文字からなる文字列が判読できるようにしたことを特徴とする椅子。
【請求項３】
横書きにした２個以上の文字からなる文字列を上下に二分割し、その上部の輪郭が反映されるよう形成された背もたれ部と、その下部の輪郭が反映されるよう形成された座板部とを組み合わせることで、前記２個以上の文字からなる文字列が判読できるようにしたことを特徴とする椅子。
【請求項４】
３以上の変数ｎ個の文字からなる文字列の内、いずれか１個乃至（ｎ−１）個の文字の輪郭が反映されるよう形成された背もたれ部と、残る１個乃至（ｎ−１）個の文字の輪郭が反映されるよう形成された座板部とを組み合わせることで、前記３以上の変数ｎ個の文字からなる文字列が判読できるようにしたことを特徴とする椅子。
【考案の詳細な説明】
【技術分野】
【０００１】
本考案は、腰掛ける機能はそのままに、言葉や漢字を学ぶことができ、且つ、各種の店舗や施設でディスプレイとしても利用できる椅子に関するものである。
【背景技術】
【０００２】
従来から店舗や施設においてディスプレイとして利用される様々な椅子が開発されており、例えば、実用新案登録第３０７５６８６号に係る「椅子」では、花をモチーフにし、複数の花弁の中に座板を設けることで、座る機能と共に造形美を楽しむことができるようになっている。
【０００３】
また、実用新案登録第３０２６８０５号に係る「組み立て椅子」では、恐竜や怪獣、動物、植物などに組み立てることが可能な椅子として構成され、スナックなどの店舗の演出に利用できるようになっている。
【先行技術文献】
【特許文献】
【０００４】
【特許文献１】実用新案登録第３０７５６８６号公報
【特許文献２】実用新案登録第３０２６８０５号公報
【考案の概要】
【考案が解決しようとする課題】
【０００５】
本考案が解決しようとする課題は、腰掛ける機能はそのままに、言葉や漢字を学ぶことが可能であり、且つ、各種の店舗や施設におけるディスプレイとして商業的利用もできる椅子を提供することにある。
【課題を解決するための手段】
【０００６】
本考案は、如上の課題を解決するため、１個の文字を上下に二分割し、その上部の輪郭が反映されるよう形成された背もたれ部と、その下部の輪郭が反映されるよう形成された座板部とを組み合わせることで、前記１個の文字が判読できるようにしたことを特徴とする椅子（請求項１）を提案する。
【０００７】
本考案はまた、別の課題解決手段として、２個の文字からなる文字列の内、いずれか一方の文字の輪郭が反映されるよう形成された背もたれ部と、いずれか他方の文字の輪郭が反映されるよう形成された座板部とを組み合わせることで、前記２個の文字からなる文字列が判読できるようにしたことを特徴とする椅子（請求項２）を提案する。
【０００８】
本考案はまた、別の課題解決手段として、横書きにした２個以上の文字からなる文字列を上下に二分割し、その上部の輪郭が反映されるよう形成された背もたれ部と、その下部の輪郭が反映されるよう形成された座板部とを組み合わせることで、前記２個以上の文字からなる文字列が判読できるようにしたことを特徴とする椅子（請求項３）を提案する。
【０００９】
本考案はまた、別の課題解決手段として、３以上の変数ｎ個の文字からなる文字列の内、いずれか１個乃至（ｎ−１）個の文字の輪郭が反映されるよう形成された背もたれ部と、残る１個乃至（ｎ−１）個の文字の輪郭が反映されるよう形成された座板部とを組み合わせることで、前記３以上の変数ｎ個の文字からなる文字列が判読できるようにしたことを特徴とする椅子（請求項４）を提案する。
【考案の効果】
【００１０】
本考案に係る椅子は、腰掛ける機能はそのままに、言葉や漢字を学ぶことが可能なことに加え、各種の店舗や施設でディスプレイとしても商業利用することができ、しかも、文字の数や文字の縦書き・横書きに拘らず、文字列を判読できる椅子を提供することが可能である。
【図面の簡単な説明】
【００１１】
【図１】図１は１個の文字を反映した椅子の実施例を示す概略斜視図である。（実施例１）
【図２】図２は２個の文字を反映した椅子の実施例を示す概略斜視図である。（実施例２）
【図３】図３は４個の文字を反映した椅子の実施例を示す図面代用写真である。（実施例３）
【考案を実施するための形態】
【００１２】
腰掛ける機能はそのままに、言葉や漢字を学ぶことが可能であり、且つ、遊び心のある椅子として、各種の店舗や施設でディスプレイとしても利用できるようにした。
【実施例１】
【００１３】
図１は、請求項１の考案に係る実施例を示す概略斜視図であり、１は背もたれ部、２は座板部である。この実施例は背もたれ部１と座板部２の組合せによって、１個の文字が判読できるようにした椅子である。
【００１４】
図１に示す実施例では、１個の文字として「無」の漢字を採用しており、これを四つ点と四つ点以外の部分とに上下に二分割し、その上部である四つ点以外の部分の輪郭が反映されるよう背もたれ部１を形成し、その下部である四つ点の輪郭が反映されるよう座板部２を形成し、これらを脚部上で組み合わせることにより、「無」の文字が判読できるようにしたものである。もちろん、「無」以外の如何なる文字を採用しても良い。
【００１５】
また、この実施例を応用したものが請求項３の考案であり、横書きにした２個以上の文字からなる文字列を上下に二分割し、その上部の輪郭が反映されるよう背もたれ部１を形成し、その下部の輪郭が反映されるよう座板部２を形成し、これらを横長の脚部上で組み合わせることにより、前記２個以上の文字からなる文字列が判読できるようになる。
【実施例２】
【００１６】
図２は、請求項２の考案に係る実施例を示す概略斜視図であり、１は背もたれ部、２は座板部である。この実施例は背もたれ部１と座板部２の組合せによって、２個の文字からなる文字列が判読できるようにした椅子である。
【００１７】
図２に示す実施例では、２個の文字として「合格」の漢字を採用しており、一方の文字である「合」の輪郭が反映されるよう背もたれ部１を形成し、他方の文字である「格」の輪郭が反映されるよう座板部２を形成し、これらを脚部上で組み合わせることで、「合格」の文字列が判読できるようになる。もちろん、「合格」以外の如何なる２文字を採用しても構わない。
【実施例３】
【００１８】
図３は、請求項４の考案に係る実施例を示す図面代用写真であり、この実施例では背もたれ部と座板部の組合せによって、３個以上の文字からなる文字列が判読できるようにした椅子である。
【００１９】
図３に示す実施例では、４個の文字として「恋愛成就」の漢字を採用しており、その内「恋愛」の２個の文字の輪郭が反映されるよう背もたれ部を形成し、残る「成就」の２個の文字の輪郭が反映されるよう座板部を形成し、これらを横長の脚部上で組み合わせることにより、前記４個の文字である「恋愛成就」の文字列が判読できるようになる。
【００２０】
なお、図３の実施例では４個の文字からなる文字列であるため、背もたれ部と座板部とで各２個ずつ文字を反映させれば良いが、例えば、「春夏秋冬匠」の文字列の場合、４個の文字「春夏秋冬」を背もたれ部に形成し、１個の文字「匠」を座板部に形成したり、その逆のケースもある。このように、３個以上の文字からなる文字列では少なくとも、背もたれ部又は座板部のいずれか一方に１個の文字を形成するので、その場合の背もたれ部又は座板部のいずれか他方は、全文字数からその１個を減じた文字数が形成されることになる。上の「春夏秋冬匠」でいえば、仮に、座板部に「匠」の１個の文字を形成するとすれば、背もたれ部に形成されるのは最大で「５−１」の４個の文字ということになる。請求項に記した「１個乃至（ｎ−１）個」はこのように、背もたれ部と座板部に形成される文字の数が、そのいずれか一方に形成された文字数に応じて、いずれか他方に形成される文字数が最低１個から最大「ｎ−１」個の範囲で増減し得ることを意味している。
【産業上の利用可能性】
【００２１】
本考案に係る椅子は、腰掛ける機能はそのままに、言葉や漢字を学ぶことが可能であり、且つ、遊び心のある椅子として、各種の店舗や施設でディスプレイとしても利用できるようにしたため、教育現場のみならず、様々な集客現場でも利用することができる。また、商品名や会社名の文字列を判読できるようにすることで、広告・宣伝の媒体としても利用できる。
【符号の説明】
【００２２】
１    背もたれ部
２    座板部
【図１】
0003157720.tif 000003
【図２】
0003157720.tif 000004
【図３】
0003157720.tif 000005